(57)【特許請求の範囲】
【請求項１】
一部を重ねながら順次葺設させることで屋根傾斜面又は建物壁面を被覆する平板状の焼成物であって、その上面後端側及び下面前端側のいずれかに複数の凸条、他方には同じく複数の凹溝がいずれもその前後方向に平行に設けられており、葺設時これらの凹溝或いは凸条は、前後にある他のボードの凸条或いは凹溝と嵌合し、且つ該凹溝はボード端部から始まり面の中途で終了するものであることを特徴とする焼成ボード。
【請求項２】
本体下面側に該凸条が設けられたものにおいて、該凸条の前端位置は、本体の前端位置より後方にあり、且つ、該凸条の長さは該凹溝の長さよりも短いものである請求項１記載の焼成ボード。
【発明の詳細な説明】
【０００１】
【発明の属する技術分野】
本発明は、重ね葺きするタイプの平板状ボードに関するものであり、更に述べると、葺設作業時に未だ固定していないボードを係止する手段を有する薄形ボードでありながら、焼成時重力によって変形して歪みが生じることの少ない焼成ボードの構造に関するものである。
【０００２】
【従来の技術】
瓦葺き屋根においては、スレート系、セメント系、金属系、アスファルトシングルなどの平板状瓦による瓦葺きが現在広く普及している。このような瓦材を利用する瓦葺きは、葺設に際し粘土瓦のように葺土を利用しないものであるし、瓦自体も従来の一般的な桟瓦に比して極めて軽量であることから、屋根として見た場合相当の重量軽減を図ることが可能となり耐震能力が高くなるので、特に阪神大震災以降著しく普及している瓦材である。
【０００３】
この平板状瓦は、一般的に薄板状に形成されており、屋根の流れ方向に一部を重ねながら順次野地板等の屋根地に釘打ちして葺設されるもので、種々の形状のものがある。通常、部分的に三重部分が生じるように重ねて葺かれるため、葺設後の露出部分である「働き長さ」は重ね方向の全長の１／２より短く形成されている。平板状瓦としてはこの他、葺設状態が平板状となる金属瓦がある。これはアルミニウムや亜鉛メッキした金属板などを曲げ加工して所定の厚さの平板状に形成したもので、前後のフック状部分を引っ掛けて掛合しながら葺設する構造のものである。
【０００４】
また、サイディングボード（siding boad ）は、既設建物の外壁に手を入れることなくその上から被覆し装飾することができるので、短期、安価な工法として頻繁に採用されている。設置は、屋根用平板瓦が基本的に緩傾斜面への設置であり「載置」という感覚であるのに対し、サイディングボードの場合は鉛直面或いはほぼ鉛直面への固定という点で異なるが、材質、構造共基本的には同様のものである。
【０００５】
【発明が解決しようとする課題】
しかしながら、従来の平板状瓦は耐候性が低く約１０年毎に瓦の葺き替えが迫られる問題がある。特に、スレート系の平板状瓦は顔料で着色されているため、機能的な問題が生じない場合でも、色あせによって外観上非常に見苦しくなってしまうことになる。瓦の葺き替えに際しての問題は、多大な葺き替え費用にあることは言うまでもないが、その費用が葺設されていた瓦の除去作業や除去された瓦の廃棄処理にかかる割合が大きいことにある。また、除去作業に伴う塵埃の飛散を考慮して行なう飛散防止ネットの取り付けや、瓦除去後の雨仕舞いなども費用に含めざるを得ないのが現状であり、瓦の葺き替えについての大きな障害となっていた。これらのことは、上述したサイディングボードの場合にも同様の問題となっていた。
【０００６】
また平板状瓦を、形状だけ異なるが他は通常の焼成粘土瓦と同じ製法で作成すると、耐候性に優れ、色褪せなどの起きにくいものとなるが、通常の瓦に比して薄いということに起因する種々の問題があり、採用されていない。まず、薄いが故に人の体重負荷程度で、容易に割れてしまうことがある。また、このような厚みのないものを焼くとなると、製造段階で変形してしまう可能性が大きい。通常の瓦の場合には十分な厚みがあるので、例えば斜めに立てかけて素焼きするといったことも可能であるが、薄い場合には水平台上に載置する必要がある。しかしボードの端部に例えばボードを係止するための段差などが設けられていると、水平に載置しても該段差部分は載置台から離反しているので、この部分が垂れてしまうことになる。
【０００７】
【課題を解決するための手段】
そこで、本発明者は上記問題に鑑み鋭意研究の結果、本発明を成し得たものであり、その特徴とするところは、一部を重ねながら順次葺設させることで屋根傾斜面又は建物壁面を被覆する平板状の焼成物であって、その上面後端側及び下面前端側のいずれかに複数の凸条、他方には同じく複数の凹溝がいずれもその前後方向に平行に設けられており、葺設時これらの凹溝或いは凸条は、前後にある他のボードの凸条或いは凹溝と嵌合し、且つ該凹溝はボード端部から始まり面の中途で終了する点にある。
【０００８】
即ち本発明は、耐候性に優れるなどの効果のある焼成物により平板状のボードを、割れにくくしかも焼成による変形はしにくいというものである。この発明は従来の平板状瓦（壁面の場合であればサイディングボード）の付属物として扱かわれる点にまず特徴がある。屋根の場合を例に採り、概略図である図５に従って説明すると、従来の平板状瓦Ｓを有する屋根面は、一部を重ねながら順次葺設されたものであるから、その厚み分の高さの段差ｄが連続する段々構造となっている〔同図（ａ）〕。同じピッチで並べれば段差ｄと同じ高さの段差がその下面側に形成されるような板状体７を、やはり一部を重ねながら順次葺設してゆくと、屋根面との間に空隙が生じない構造となる。空隙がなければ、この上に重量負荷がかかっても割れることがなくなる。しかし、単に元の段差ｄと高さを揃えたものであると、斜面を滑ってしまうのでクギやネジで固定する前に、接着剤などによる仮止めの必要がある〔同図（ｂ）〕。従来の平板状瓦は、このようにクギ固定の前に接着剤などで仮止めするか、或いは同図（ｃ）のように両端部に切欠８と突起９を設けておきこの切欠８の段差に突起９が嵌まり込むことによって該板状体７を係止するか、のいずれかであった。しかし、焼成品ではない従来の瓦（図でいう板状体７）であれば切欠８の形成は特に困難ではないが、本発明の場合には切欠されて薄くなった部分が垂れて変形してしまう。何故なら、薄い焼成品ということになると、立てかけて焼くと変形が大きすぎて製品にならないので、台上に水平を保った状態としておく必要があるが、突起９があるので、これを下方にするのは好ましくなく、どうしても突起９が上になるようにすべきであるが、「切欠」という構造をとっている限り端部の薄くなった部分が垂れてしまうからである。そこで、「切欠」に代わる形状とすることでこうした不都合を解消したのである。
【０００９】
本発明ボードは、その上面後端側及び下面前端側に複数の凸条と凹溝を有している。（なお、「上面「下面」「前端」「後端」の定義は、屋根傾斜面に載置した状態で、屋根下地側と対向する面を「下面」、この面の反対面である露出面を「上面」、傾斜面下端の軒先に近い端部を「前端」、これとは反対側の端を「後端」と呼ぶこととしこれに従うものとする。）
そして葺設時これらの凹溝或いは凸条は、前後にある他のボードの凸条或いは凹溝と嵌合し、且つ該凹溝はボード端部から始まり面の中途で終了するので、上記切欠８と同様の機能は具備しているが、焼成して垂れるような構造のものではない。
また、凸条、凹溝はそれぞれ本体の上下いずれかの面に設けられているが、上面に凸条があっても下面に凸条があっても、基本的には異なることはないが、凸条が下面側にあり、且つこれが本体の前端より後方にあれば、葺設したときにボード同士の段差部分に凹凸が見えずすっきりした外観となる、凸条が奥まった分だけボード同士の重なり部分が大きくなり、雨水等が凹溝内に入りにくくなる、といった効果がある。
【００１０】
なお本明細書中で使用する「平板状」とは、薄くて平坦な広がりのある形状を指す語句である。例えば瓦の場合、和式本瓦、和式桟瓦、スパニッシュ瓦、Ｓ型瓦、フランス瓦、等々の瓦は、全体が大きく湾曲していたり、大きな凹凸があったりするので、「平板状」の定義には入らない。対して、「平形瓦」と呼ばれる瓦は、その表面に模様としての凹凸や水切り溝などの凹凸が設けられたものもあるが、全体としては平板状である。本発明における「平板状」もこの意味に用いるものとする。従って葺設するときに相互に引っ掛けて掛止する掛止部などを設けた構造のものでもよい。また、前端の厚みと後端の厚みは同じでなく、前端側が厚いものを使用すると、見た目の段差（下側の見えない方の段差は変わらない）が大きくなり豪華に見える。
【００１１】
「焼成物」とは、成形した陶土を高温で焼いたものとする。広義には、陶土に限らず、また成形させるものではないものであっても、原料を加熱して硬化性化合物を作るならば「焼成」の概念に含む場合もあるが、ここでは採用しない。
【００１２】
また本発明ボードは、屋根傾斜面又は建物壁面を被覆するものであるということから、建築物の外表面を構成するものとして、建物の耐水性の向上に寄与するものであることが好ましい。そこで、基本的には素焼きではなく、釉薬を施して焼き上げた「陶磁器製化粧タイル」あるいは通常の「粘土瓦」のような材質のものが好ましい。これらは、防水性能の長期維持に関して理想的なものであるし、色褪せや磨耗など外観上の経年変化もほとんど来すことがないという効果もあり好適である。但しこの釉薬の有無は本発明において限定するものではない。
【００１３】
本発明ボードは、周縁部分などを除き基本的に同一形状のものを並設する。従って、或る本発明ボードの回りにはその前後にも左右にも、同一の本発明ボードが配置されていると言える。但し、本発明ボードは（従来の平板瓦やサイディングボードもそうであるが）、前後方向には重複部分があるが左右方向については接触させただけで重複させないのが普通であるので、該接触部分から浸入する雨水等が容易には屋根躯体内に到達しないように設置するのが好ましい。通常は、接触させながら一段（幅方向）を固定した後、その後方（上方）の段に本発明ボードを固定してゆく際、該接触箇所が前後で揃わないように、全幅の１／２、或いは１／３程度ずつずらすようにする。そこで、前後にある他のボードの凸条或いは凹溝と嵌合するという構造は、このようにずらして配置するのが好ましいので、各々複数個設けられている。
【００１３】
また、この凸条及び凹溝は、クギやネジを打つ前に本体を屋根面（又は壁面）上に係止させるためのものであるので、該凹溝はボード端部から始まり上下いずれかの面の中途で終了し、そこに段差が形成されている。一方、凸条についてはこうした限定はないが、この凸条が本体下面側にある場合には、葺設時凸条のすべてが凹溝内に嵌まり込まないと、葺設したとき下方に空隙を生じないという本発明の効果を得ることができないので、凹溝の長さよりも短いという限定を受ける。
【００１４】
なお本発明は、焼成ボードの構造に関するものであって、その葺設方法を限定するものではないが、既に葺設されている平板状瓦の露出部分に、順次固定することで、該平板状瓦を覆い隠すようにして葺設する時最大の効果を発揮する。既に葺設された平板状瓦とは、既存の葺き替えすべき平板状瓦、若しくは新築時や葺き替え時に新たに葺いた平板状瓦をいう。本発明焼成ボードは通常クギ又はネジによって固定されるので、予めクギ孔を設けておくと便利である。本発明ボードはその前後方向については一部が重なるように葺設することで防水効果を得ているが、このようにクギ孔がある場合には、重複されることで該孔が覆われるようにすべきである。
【００１５】
【発明の実施の形態】
以下、本発明を図面に基づいて詳細に説明する。
【００１６】
図１及び図２は、本発明に係る焼成ボード１（以下本発明ボード１という）の一例を二方向から見た状態を示す斜視図であり、本発明ボード１は焼成物であって、図より明らかなように概ね矩形板である。上面には、その前後方向に複数（図では六本）の凸条２が等間隔に設けられており、下面にも該間隔で凹溝３が設けられている。本発明ボード１は、重ね葺きされるものであり、該凹溝３の長さＤは、その重なり長さになるよう設定されている。また上面は、施工後に露出する部分以上に施釉されている。
【００１７】
図３は、本発明ボード１の施工例の一つとして、スレート製平板状瓦Ｓが葺設された既設の屋根面に本発明ボード１を付加し屋根面処理を施した状態を示す概略断面図である。本発明ボード１の厚さは平板状瓦Ｓの厚さ（本例の場合４．５ｍｍ）と等しく、従って既設屋根面にある段差にうまく揃い（なお本発明ボードの厚さは、上面と下面との距離であって、凸条２の頂面や、凹溝の底面を基準にはしない。よって、段差と揃うという状態では実際には、凸条２は平板状瓦Ｓの表面から突出していることになる）、本発明ボード１の下方には空隙が存在しないので、重量負荷を受けた時にはその強度を平板状瓦Ｓが担うことになり、人が踏んだ時に本発明ボード１が割れてしまうということがない。
【００１８】
図４は、本発明の他の形状例を示すものであり、まず本例の本発明ボード１はその前端側の厚さが後端側の厚さより大きいものであり、凸条２が、下面の突起となっていない。そして下面前端側から始まる凸条２は、下面前端からわずかな距離Ｌをおいて始まっている。この本発明ボード１の場合、葺設したときの重なり長さは、凹溝３の長さＤとこの距離Ｌの和（Ｄ＋Ｌ）になる。つまり、凹溝３の端部に形成されている段差が、本発明ボード１の前端よりも距離Ｌだけ後方にずれることになるので、この距離Ｌが雨水等の凹溝３内への浸入を防止するのに役立つし、葺設後には本発明ボード１の端部にこれらが外観上表われてこず、すっきりした仕上がりとなる。また本例の本発明ボード１の上面露出部分には、屋根傾斜に沿う複数本の凹溝４が形成されており、また、重なり部分には平坦部５が形成されている。これらにより、上方から流れて来る水（主として雨水）は、該平坦部５と凹溝４との境の段差部分で落下することになり、逆流しにくい構造となっている。また凹溝４は、本発明ボード１が横風を受けても、横方向に水が走ろうとするのを遮断するという効果ももたらす。
【００１９】
なおここまで、屋根面には平板状瓦が既に葺設されたものとして説明してきたが、この平板状瓦Ｓを本発明ボード１と同時に葺設する場合にも効果がある。即ち、最終的に露出するのは本発明ボード１の表面だけであるということから、平板状瓦Ｓに求められるのは耐火性や耐水性などだけであり、美麗さや見た目の高級感は全く不要である。そこで、平板状瓦Ｓには安価なものを用い、本発明ボード１には見た目の素晴らしさが維持できる事だけを考えたものを使用すれば、高級感のある安価な屋根が得られることになる。
また、凸条２、凹溝３が上下面逆に形成されたものについては図示していないが、構造上も施工上もこれまで図示したものと同様に扱うことができる。
【００２０】
なお、本発明ボードを壁面に適用する例は図示を省略するが、斜面と鉛直面という違いがあり、それによる施工手順等に差はあるが、壁面が鉛直であるとしても、サイディングボードも基本的に重ね葺きされるので、各本発明ボード１は、わずかに傾斜することになる。従って、凸条２、凹溝３は傾斜屋根と同様の機能を発揮することになる。
【００２１】
【発明の効果】
以上詳細に説明したように本発明に係る焼成ボードは、一部を重ねながら順次葺設させることで屋根傾斜面又は建物壁面を被覆する平板状の焼成物であって、その上面後端側及び下面前端側のいずれかに複数の凸条、他方には同じく複数の凹溝がいずれもその前後方向に平行に設けられており、葺設時これらの凹溝或いは凸条は、前後にある他のボードの凸条或いは凹溝と嵌合し、且つ該凹溝はボード端部から始まり面の中途で終了するものであることを特徴とするものであり、以下述べる如き種々の効果を有する極めて高度な発明である。
【００２２】
▲１▼  焼成物であるため耐候性に優れている。
▲２▼  既設の屋根表面が平板状瓦で形成されていれば、その瓦を撤去することなく葺設することができる。
▲３▼  既設の屋根表面が平板状瓦で形成されていれば、それらの瓦にて形成される段々構造を利用して、下方に空隙のない配置ができるので、薄くて割れにくいボードとなる。
▲４▼  新築家屋のように、平板状瓦と本発明ボードとを同時に葺設する場合には、露出するのは本発明ボードだけであるので、平板状瓦には美麗さや高級感が求められず、安価な屋根が提供できる。
【図面の簡単な説明】
【図１】本発明に係る焼成ボードの一例を上方から見た状態を示す斜視図である。
【図２】本発明に係る焼成ボードの一例を下方から見た状態を示す斜視図である。
【図３】本発明に係る焼成ボードの施工例の一例を示す概略斜視図である。
【図４】本発明に係る焼成ボードの他の形状例を示す斜視図である。
【図５】（ａ）（ｂ）（ｃ）は、本発明に係る焼成ボードの特徴を示すための、全て概略断面図である。
【符号の説明】
１  本発明に係る焼成ボード  ２  凸条
３  凹溝                    ４  凹溝
５  平坦部                  ７  板状体
８  切欠                    ９  突起
ｄ  段差                    Ｄ  凹溝３の長さ
Ｓ  平板状瓦
【図１】
0003855114.tif 000002
【図２】
0003855114.tif 000003
【図３】
0003855114.tif 000004
【図４】
0003855114.tif 000005
【図５】
0003855114.tif 000006